(57)【要約】【課題】  室内の所望の位置に容易に設置でき、且つ、広い設置スペースを要としない伸縮式レーザ機器設置ポールを提供する。【解決手段】  本発明の伸縮式レーザ機器設置ポール１は、内側の筒体２Ｂが外側の筒体２Ａにスライド自在に嵌挿された少なくとも２段式の伸縮ポール本体２と、筒体どうしを解放可能に固定する固定機構と、伸縮ポール本体上端に設けられた弾性保持盤３と、伸縮ポール本体下端側に設けられた弾性脚盤４と、伸縮ポール本体を昇降させるジャッキ機構９と、伸縮ポール本体の中心軸線に対してそれぞれの直交し、且つ、互いに直角な２方向に向けて筒体上に取り付けられた一対の水準器６、７と、伸縮ポール本体に対して軸方向に位置を移動調整自在に固定されるレーザ機器設置台５とを備え、伸縮ポール本体の長さを調整し、ジャッキ機構で天井スラブ面Ｃと床面Ｆにそれぞれ弾性保持盤と弾性脚盤を押し付けて室内の所望位置に設置する。【選択図】  図１
2005049201.tif 000002
【特許請求の範囲】
【請求項１】
内側の筒体が外側の筒体にスライド自在に嵌挿されてなる少なくとも２段式の伸縮ポール本体と、
隣り合う内外の筒体どうしを解放可能に固定するための固定機構と、
伸縮ポール本体の上端に設けられた弾性保持盤と、
伸縮ポール本体の下端側に設けられた弾性脚盤と、
互いに螺合する雄ねじ部材と雌ねじ部材を有し、その一方が伸縮ポール本体下端に固定され、他方が弾性脚盤に対して垂直軸線回りに回動可能に支持されてその回動により伸縮ポール本体を昇降させるジャッキ機構と、
伸縮ポール本体の中心軸線に対してそれぞれの直交し、且つ、互いに直角な２方向に向けて筒体上に取り付けられた一対の水準器と、
レーザ機器を保持し、伸縮ポール本体に対して軸方向に位置を移動調整自在に固定されるレーザ機器設置台とを備えたことを特徴とする伸縮式レーザ機器設置ポール。
【請求項２】
レーザ機器設置台が伸縮ポール本体の筒体に対してその側方から着脱自在に固定されるためのクランプ機構を備えたことを特徴とする請求項１記載の伸縮式レーザ機器設置ポール。
【発明の詳細な説明】
【技術分野】
【０００１】
本発明は、天井パネルの設置作業等において用いるレーザ機器を作業現場に設置するための伸縮式レーザ機器設置ポールに関するものである。
【背景技術】
【０００２】
従来、建物の天井パネルを取り付けるための軽量鉄骨（以下、ＬＧＳという。）を設置する作業においては、天井スラブから複数の吊りボルトによって吊り下げられるＬＧＳの位置を、床面に置いた３脚等の上に設置したレーザ機器から水平方向にレーザ光を照射して、室内壁面に墨出しした水平な基準線に基づいてレーザ光の高さをあらかじめ測定し、それぞれの吊りボルトの位置において、ＬＧＳの高さをスケールを用いてレーザ光がスケールに当たった位置から測定して、これらが所定距離になるように各吊りボルトに対するＬＧＳの固定位置を調整して各ＬＧＳを水平に同一高さで固定する方法がとられている。
【０００３】
このような、作業にはおいては、例えば、下記の特許文献１に記載されているような、レーザダイオードを発光源とするレーザ機器による基点出し装置を用いることができる。
【特許文献１】特開平５−３３２７７２号公報
【発明の開示】
【発明が解決しようとする課題】
【０００４】
前記特許文献１に記載された装置は、装置の固定部を作業場所の室内上方に設けられている梁や、床面に置かれた脚立の踏み板に固定して用いる構造になっているが、装置を高所の梁に固定して用いる場合には、脚立等を用いて設置しなければならず、しかも、装置を固定可能な梁がある場所に設置場所が限定される問題があった。
【０００５】
また、床面に脚立を置いて、その踏み板に装置を固定して用いる場合には、脚立の脚が左右に拡がっているため、脚立を床面に置くためのスペースが必要となり、現場における他の作業の邪魔になるとともに、作業中に物品を脚立や装置自体に誤って衝突させて精密なレーザ機器を損傷する恐れがあった。
【０００６】
さらに、脚立の踏み板に固定する場合には、水平に照射されるレーザ光の位置が低いため、レーザ光の位置を基準として各吊りボルトに対するＬＧＳを固定する高さを調整するために、長尺のスケールを使用しなければならないため、ＬＧＳの高さ調整作業に労力を要する問題があった。
【０００７】
そこで、本発明は、前述したような従来技術の問題を解消し、室内の所望の位置に容易に設置することができ、且つ、設置のために広いスペースを必要としない伸縮式レーザ機器設置ポールを提供することを目的とする。
【課題を解決するための手段】
【０００８】
本発明は、内側の筒体が外側の筒体にスライド自在に嵌挿されてなる少なくとも２段式の伸縮ポール本体と、隣り合う内外の筒体どうしを解放可能に固定するための固定機構と、伸縮ポール本体の上端に設けられた弾性保持盤と、伸縮ポール本体の下端側に設けられた弾性脚盤と、互いに螺合する雄ねじ部材と雌ねじ部材を有し、その一方が伸縮ポール本体下端に固定され、他方が弾性脚盤に対して垂直軸線回りに回動可能に支持されてその回動により伸縮ポール本体を昇降させるジャッキ機構と、伸縮ポール本体の中心軸線に対してそれぞれの直交し、且つ、互いに直角な２方向に向けて筒体上に取り付けられた一対の水準器と、レーザ機器を保持し、伸縮ポール本体に対して軸方向に位置を移動調整自在に固定されるレーザ機器設置台とを備えたことを特徴とする。
【０００９】
本発明においては、レーザ機器設置台が伸縮ポール本体の筒体に対してその側方から着脱自在に固定されるためのクランプ機構を備えていることが望ましい。
【発明の効果】
【００１０】
本発明の伸縮式レーザ機器設置ポールによれば、伸縮ポール本体の全長を伸縮調整できるとともに、床面に保持される弾性脚盤と伸縮ポール本体下端との間に設けられたジャッキ機構によって、伸縮ポール本体全体を昇降調整して上方のスラブ面等に弾性保持盤を確実に押し付け固定することができるので、広い設置スペースを要することなく、確実且つ簡単にレーザ機器を高所に設置することができ、また、設置場所の変更を容易に行うことができる。
【００１１】
また、特に、本発明の伸縮式レーザ機器設置ポールにおいて、レーザ機器設置台がクランプ機構で伸縮ポール本体の筒体に対してその側方から着脱自在になっている場合には、伸縮ポール本体の運搬や設置作業の際には、精密なレーザ機器の損傷を避けるためにレーザ機器設置台ごと伸縮ポール本体から簡単に外すことができる。
【００１２】
また、１つの場所に設置されている伸縮ポール本体から取り外して、他の場所に設置されている伸縮ポール本体に取り付けて使用することができるので、１つのレーザ機器を複数の場所で共用することが容易にできる。
【発明を実施するための最良の形態】
【００１３】
図１は、本発明の伸縮式レーザ機器設置ポールを建物内の床面に立設した状態を示す側面図であって、本実施形態においては、伸縮式レーザ機器設置ポール１は、下方に位置する外側筒体２Ａと、上方に位置する内側筒体２Ｂからなる２段式の伸縮ポール本体２を備えており、その上端側に取り付けられている弾性保持盤３と、下端側に設けられている弾性脚盤４をそれぞれ、建物の天井スラブ面Ｃと床面Ｆに押し当てて摩擦固定し、建物室内の所望位置に設置できるようになっている。
【００１４】
また、本実施形態においては、弾性保持盤３及び弾性脚盤４は、それぞれ天井スラブ面Ｃや床面Ｆに対して滑りに難くするために、共に柔軟なゴム素材によって形成されている。なお、弾性保持盤３の上面や弾性脚盤４の底面は、より滑り難くするために凹凸や溝等を形成してもよい。
【００１５】
内側筒体２Ｂには、水平方向に扇形に拡がるレーザ光Ｌを発するレーザ機器ＬＤを保持するためのレーザ機器設置台５が取り付けられている。一方、外側筒体２Ａの上部には、伸縮ポール本体２を設置する際に、その垂直度を見るための一対の水準器６、７が固定されている。
【００１６】
図２に示すように、外側筒体２Ａの上端部の外周には、所定長さだけ雄ねじＴ１が形成されており、この雄ねじＴ１が形成されている外側筒体２Ａの上端部には、その端面から下方に延びる複数のスリットＳが周方向に均等な間隔で形成されていて、これらのスリットＳによって、雄ねじＴ１が形成されている部分は半径方向の弾性変形が容易になっている。
【００１７】
外側筒体２Ａの上端部外周には、その雄ねじＴ１と螺合する雌ねじＴ２が内周面に形成された円筒状の固定リング８が装着され、その上端部には、内側筒体２Ｂがスライド自在に貫通可能な、雌ねじＴ２の内径よりやや小径の孔８Ａが形成されている。固定リング８には、これを手で回す際に滑らないように、外周面８Ｂ全体にローレット加工が施されている。
【００１８】
また、外側筒体２Ａの上端部外周に形成されている雄ねじＴ１と固定リング８の内周面に形成されている雌ねじＴ２とはそれぞれ上方へ向かって径がしだいに減少するテーパねじとして形成されており、固定リング８を外側筒体２Ａにねじ込んでいくと、複数のスリットＳが形成されている外側筒体２Ａの上端部は半径方向内側に弾性変形し、外側筒体２Ａ内部にスライド自在に嵌挿されている内側筒体２Ｂは、外周面が外側筒体２Ａの上端部内周面によって締め付けられ、外側筒体２Ａに対して摩擦固定される。
【００１９】
一方、固定リング８を反対方向に回転すると、外側筒体２Ａの上端部は半径方向外側に弾性力で復元し、内側筒体２Ｂは、外側筒体２Ａに対して自由にスライドできるようになる。なお、この実施形態においては、雄ねじＴ１が形成された筒体２Ａの上端部と雌ねじＴ２が形成された固定リング８が本発明の固定機構を構成している。
【００２０】
一方、図２に示すように、水準器６と水準器７は、外側筒体２Ａの固定リング８近傍の外周面に上下方向に位置をずらして配置されていて、伸縮ポール本体２の中心軸線に対してそれぞれの直交し、且つ、互いに直角な２方向に長手方向を向けて外側筒体上２Ａ上に固定されている。
【００２１】
これらの水準器６、７は、側面に液体が封入されたガラス管内の気泡Ｂの位置を目視できるように水平方向に細長い窓６Ｂ、７Ｂを有しており、それぞれの気泡Ｂを水平を示す位置に移動させた状態で、伸縮ポール本体２の中心軸線が鉛直になるように設定されている。
【００２２】
図３に示すように、弾性脚盤４と外側筒体２Ａの下端との間には、ジャッキ機構９が設けられている。このジャッキ機構９は互いに螺合する雄ねじ部材１０と雌ねじ部材１１、及び、受け金１２から構成されている。
【００２３】
雄ねじ部材１０は、上部に雌ねじ部材１１の中心部に貫通形成されたねじ孔１１Ａに螺合する雄ねじ部１０Ａを有し、中間部に外周面に複数の工具挿入穴Ｈを有する扁平な円柱状の回動操作部１０Ｂが形成されているとともに、下部に案内軸部１０Ｃを有している。
【００２４】
一方、雌ねじ部材１１は、その下端部外周に、外側筒体２Ａの下端周縁部に当接して位置決めされる環状突部１１Ｂが形成された円筒状の外周面を有しており、外側筒体２Ａの下端に嵌合して溶接固定されている。
【００２５】
また、雄ねじ部材１０の案内軸部１０Ｃは、受け金１２の中心部に形成されている軸受け穴１２Ａに回動自在に嵌挿されている。前記受け金１２は、弾性脚盤４の中心部にインサート成形により一体に埋め込まれている筒状部１２Ｂとその上端に連続して弾性脚盤４の上面を覆うように設けられた、鍔状の荷重支持部１２Ｃから構成されている。
【００２６】
荷重支持部１２Ｃの上面は、雄ねじ部材１０の回動操作部１０Ｂ下面に当接し、雄ねじ部材１０に作用するスラスト荷重を負担するようになっており、また、荷重支持部１２Ｃの下面は弾性脚盤４の上面と広い面積で当接し、前記スラスト荷重が弾性脚盤４全体に均一に分散して伝達されるようになっている。
【００２７】
本実施形態において用いられているジャッキ機構９は、回動操作部１０Ｂの工具挿入穴Ｈに棒状の回転操作工具ＴＬを差し込んで回転させることにより、雄ねじ部材１０を雌ねじ部材１１に対して螺動させ、雌ねじ部材１１とともに伸縮ポール本体２全体の昇降調整を行うことができるようになっている。
【００２８】
また、レーザ機器設置台５は、図４に示すようにクランプ機構１３によって、内側筒体２Ａに対してその側方から着脱自在に固定できるようになっている。このクランプ機構１３は、互いに一方の端どうしが連結ピン１３Ａで開閉回動自在に連結された、半円弧状の一対のベルト片１３Ｂ、１３Ｃを有し、その一方のベルト片１３Ｂは、レーザ機器設置台５と一体になっている。
【００２９】
また、他方のベルト片１３Ｃの連結ピン１３Ａ側と反対側の端部に近い外周面には、クランプレバー１３Ｄが回動ピン１３Ｅで回動自在に取り付けられている。このクランプレバー１３Ｄには、前記一方のベルト片１３Ｂの連結ピン１３Ａ側と反対側の端部外周面に形成された掛止片１３Ｆに掛け止めされる、掛止環１３Ｇが揺動自在に取り付けられている。
【００３０】
このクランプ機構１３は、図４の仮想線で示すように、ベルト片１３Ｃを開いた状態で内側筒体２Ｂに側方からベルト片１３Ｂの内周面を当接させた後、同図の実線で示すようにベルト片１３Ｃを閉じ、クランプレバー１３Ｄに付属している掛止環１３Ｇをベルト片１３Ｂの掛止片１３Ｆに引っ掛けて、クランプレバー１３Ｄを回動ピン１３Ｅ回りにベルト片１３Ｃに当たるまで回動すると、一対のベルト片１３Ｂ、１３Ｄは、これらの内周面で内側筒体２Ｂを両側から締め付けるので、レーザ機器設置台５は、内側筒体２Ｂに固定される。
【００３１】
一方、レーザ機器設置台５には、その中心部を上下に貫通して、レーザ機器ＬＤを固定するための固定ねじ１４が回転自在に保持されていて、前記固定ねじ１４は、レーザ機器設置台５下面から突出したノブ１４Ａによって手で回転できるようになっている。
【００３２】
レーザ機器ＬＤの底面中心部には、固定ねじ１４のねじ部１４Ｂが螺合するねじ穴ａが設けられており、このねじ孔ａにねじ部１４Ｂを螺合させてノブ１４Ａを回転させて締め付けることにより、レーザ機器ＬＤのレーザ照射窓Ｗをレーザ機器設置台５に対して固定ねじ１４の回転軸線回りに任意の向きに回転させた位置で固定できるようになっている。
なお、レーザ機器設置台５の上面中央部には、レーザ機器ＬＤの底面中央部分に当接してこれを摩擦保持するための円板状に突出した保持面５Ａが設けられている。
【００３３】
次に、前述したように構成されている本発明の伸縮式レーザ機器設置ポールの使用方法について説明する。図１において、天井スラブ面Ｃには、所定間隔でインサートＩＳが埋め込まれており、それぞれのインサートＩＳには吊りボルトＲの上端部が螺着されている。
【００３４】
一方、これらの吊りボルトＲの下端部付近には、それぞれ一対のナットＮ１、Ｎ２が螺合されていて、これらのナットＮ１、Ｎ２によってＬＧＳを保持する吊り金具ＨＣが吊りボルトＲの下端部に高さ調整可能に固定されるようなっている。
【００３５】
本発明の伸縮式レーザ機器設置ポール１を作業現場に設置する場合には、レーザ機器ＬＤとレーザ機器設置台５は、あらかじめ伸縮ポール本体２から取り外しておき、また、ジャッキ機構９を操作して弾性脚盤４に対して外側筒体２Ａを下降させておき、伸縮式レーザ機器設置ポール１を所望位置まで運搬して弾性脚盤４を床面Ｆに着けて垂直に立てる。
【００３６】
次いで、固定リング８を手で緩めて外側筒体２Ａから内側筒体２Ｂを上端の弾性保持盤３が天井スラブ面Ｃに軽く当たるまで伸張させる。ここで、固定リング８を締めて、外側筒体２Ａに内側筒体２Ｂを固定し、水準器６と水準器７を目視しながら、互いに直角な２方向に対して、伸縮ポール本体２が鉛直になるように位置決めする。
【００３７】
伸縮ポール本体２が鉛直になったら、図３に示すように、回転操作部１０Ｂの工具挿入穴Ｈに棒状の回転操作工具ＴＬを差し込んで回転させて伸縮ポール本体２全体を僅かに上昇させると、弾性保持盤３は天井スラブ面Ｃに押し付けられて摩擦固定されるとともに、その反力を受けて弾性脚盤４も床面Ｆに摩擦固定されて、伸縮式レーザ機器設置ポール１は、建物内の所定位置に固定される。
【００３８】
ここで、図４に示すレーザ機器ＬＤをレーザ機器設置台５に載せてねじ穴ａに固定ねじ１４のねじ部１４Ａを螺合させて仮固定した上で、レーザ機器設置台５をクランプ機構１３で伸縮ポール本体２の内側筒体２Ｂの所望の高さに固定する。また、レーザ機器ＬＤのレーザ照射窓Ｗを所望の向きにして、ノブ１４Ａを締めて固定する。
【００３９】
次いで、図１に示すように、レーザ機器ＬＤのレーザ照射窓Ｗから水平方向に扇形に拡がるレーザビームＬを発射し、建物壁面に、床面Ｆから高さｙ１のレベルに墨出しされた基準線ＳＤを基準として、ここからレーザビームＬまでの高さｙ２をスケール等で実測することにより、水平方向に発射されているレーザビームＬの床面Ｆからの高さｙ１＋ｙ２を求める。
【００４０】
ここでは、それぞれのＬＧＳの設置高さは、水平方向に放射されているレーザビームＬを基準として、ここから高さｙ３だけ上方位置に設置するものとする。この作業は、ＬＧＳの下面からレーザビームＬまでの垂直距離を３０ｃｍ程度の小型のスケールて計りながら、ナットＮ１、Ｎ２を調整してＬＧＳを保持している吊り金具ＨＣの高さを固定して行う。このような作業を各吊り金具の場所で行うことにより、天井板を支持するための各ＬＧＳの高さを水平に且つ同レベルに固定することができる。
【００４１】
なお、本発明は、前述した実施形態の構成のみに限定されるものではなく、例えば、固定機構としては、隣り合う筒体２Ａ、２Ｂの何れか一方に、半径方向に貫通する孔を形成し、他方に、この孔に重なり合うことが可能な複数の貫通孔を軸方向に列べて形成し、複数の孔の１つを選択的に他方の孔に重ねた状態で、内外の孔を横断するように筒体２Ａ、２Ｂの半径方向に固定ピンを通して固定するようにしてもよい。
【００４２】
この場合、伸縮ポール本体２の全長は段階的に調整可能となり、貫通孔の間隔以下の長さにおいては、ジャッキ機構９の昇降ストロークの範囲で調整できるようにすればよい。また、本実施形態においては、伸縮ポール本体２は、筒体２Ａと筒体２Ｂの２段式の伸縮構造としたが、必要に応じて、テレスコープ状に３つ以上の筒体を組み合わせた３段以上に伸縮する構造としてもよい。
【００４３】
さらに、本実施形態においては、レーザ機器設置台５を伸縮ポール本体２に対してその側方から着脱可能なクランプ機構１３によって着脱自在に構成しているが、この構成に限定するものではなく、クランプ機構は、レーザ機器設置台５を伸縮ポール本体２に対してその軸方向に固定位置が調整できるものであればよく、レーザ機器設置台５を伸縮ポール本体２の側方に取り外すことができない構造のものであってもよい。
【００４４】
これは、例えば、クランプ機構を伸縮ポール本体２にスライド自在に外嵌される筒状部材で構成し、この筒状部材に止めねじを設けて止めねじを緩めた状態でレーザ機器設置台５を伸縮ポール本体２に沿って上下方向にスライドさせ、所望の位置で止めねじを締め付けて固定するような構造としてもよい。
【産業上の利用可能性】
【００４５】
本発明の伸縮式レーザ機器設置ポールは、天井パネルを取り付けるためのＬＧＳの高さを位置決めする作業等、高所に設置する部材の高さをレーザ機器を用いて位置決めする用途に用いることができ、特に、トイレや風呂場のような狭い場所において好適に使用できる。。
【図面の簡単な説明】
【００４６】
【図１】本発明の伸縮式レーザ機器設置ポールを床面に立設した状態を示す側面図である。
【図２】本発明の伸縮式レーザ機器設置ポールの構造の一部を示す斜視図である。
【図３】本発明の伸縮式レーザ機器設置ポールの構造の一部を示す縦断面図である。
【図４】本発明の伸縮式レーザ機器設置ポールの構造の一部を示す斜視図である。
【符号の説明】
【００４７】
１             伸縮式レーザ機器設置ポール
２             伸縮ポール本体
２Ａ            外側筒体
２Ｂ            内側筒体
３              弾性保持盤
４              弾性脚盤
５              レーザ機器設置台
５Ａ            保持面
６、７          水準器
８             固定リング
９             ジャッキ機構
１０            雄ねじ部材
１０Ａ           雄ねじ部
１０Ｂ           回動操作部
１０Ｃ           案内軸部
１１             雌ねじ部材
１１Ａ           ねじ孔
１１Ｂ           環状突部
１２             受け金
１２Ａ           軸受け穴
１２Ｂ           筒状部
１２Ｃ           荷重支持部
１３             クランプ機構
１３Ａ           連結ピン
１３Ｂ、１３Ｃ     ベルト片
１３Ｄ           クランプレバー
１３Ｅ           回動ピン
１３Ｆ           掛止片
１３Ｇ           掛止環
１４            固定ねじ
１４Ａ          ノブ
１４Ｂ          ねじ部
【図１】
2005049201.tif 000003
【図２】
2005049201.tif 000004
【図３】
2005049201.tif 000005
【図４】
2005049201.tif 000006